(57)【要約】【課題】表示画面の法線に対する斜め方向からの観察における表示画面の外観を向上することができる光学フィルム、光学フィルム用転写体、画像表示装置を提供する。【解決手段】光学フィルム３は、透明フィルムによる基材と、直線偏光板５としての機能を担う直線偏光板の光学機能層と、１／４波長位相差板６としての機能を担う１／４波長位相差板の光学機能層とが積層され、１／４波長位相差板の光学機能層が、透過光に１／２波長分の位相差を付与する１／２波長板用位相差層９と、透過光に１／４波長分の位相差を付与する１／４波長板用位相差層８とを少なくとも有する多層構造であり、１／２波長板用位相差層９及び１／４波長板用位相差層８は、同一の液晶材料から形成され、２｜θ１｜＋３５°＜｜θ２｜＜２｜θ１｜＋４５°と、２（Ｒ２（５５０）−２０）＜Ｒ１（５５０）≦２Ｒ２（５５０）との関係を満たすことを特徴とする。【選択図】図１
2014102440.tif 000002
【特許請求の範囲】
【請求項１】
透明フィルムによる基材と、
直線偏光板としての機能を担う直線偏光板の光学機能層と、
１／４波長位相差板としての機能を担う１／４波長位相差板の光学機能層とが積層され、
前記１／４波長位相差板の光学機能層が、透過光に１／２波長分の位相差を付与する１／２波長板用位相差層と、透過光に１／４波長分の位相差を付与する１／４波長板用位相差層とを少なくとも有する多層構造であり、
波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとしたときに、
前記１／２波長板用位相差層及び前記１／４波長板用位相差層は、
同一の液晶材料から形成され、
２｜θ１｜＋３５°＜｜θ２｜＜２｜θ１｜＋４５°と、
２（Ｒ２（５５０）−２０）＜Ｒ１（５５０）≦２Ｒ２（５５０）との関係を満たすこと、
を特徴とする光学フィルム。
【請求項２】
前記１／２波長板用位相差層は、
１２°＜｜θ１｜＜１７°の関係を満たし、
前記１／４波長板用位相差層は、
６５°＜｜θ２｜＜７５°の関係を満たすこと、
を特徴とする請求項１に記載の光学フィルム。
【請求項３】
直線偏光板としての機能を担う直線偏光板の光学機能層の上に転写される転写層を有した光学フィルム用転写体であって、
透過光に１／２波長分の位相差を付与する１／２波長板用位相差層と、透過光に１／４波長分の位相差を付与する１／４波長板用位相差層とを少なくとも有する転写層と、
前記転写層を保持する支持体とを備え、
波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとしたときに、
前記１／２波長板用位相差層及び前記１／４波長板用位相差層は、
同一の液晶材料から形成され、
２｜θ１｜＋３５°＜｜θ２｜＜２｜θ１｜＋４５°と、
２（Ｒ２（５５０）−２０）＜Ｒ１（５５０）≦２Ｒ２（５５０）との関係を満たすこと、
を特徴とする光学フィルム用転写体。
【請求項４】
前記１／２波長板用位相差層は、
１２°＜｜θ１｜＜１７°の関係を満たし、
前記１／４波長板用位相差層は、
６５°＜｜θ２｜＜７５°の関係を満たすこと、
を特徴とする請求項３に記載の光学フィルム用転写体。
【請求項５】
前記支持体は、セパレータフィルムであり、
前記転写層は、前記支持体により被覆される粘着層を備えること、
を特徴とする請求項３又は請求項４に記載の光学フィルム用転写体。
【請求項６】
透明フィルムによる基材と、
直線偏光板としての機能を担う直線偏光板の光学機能層と、
１／４波長位相差板としての機能を担う１／４波長位相差板の光学機能層とが積層され、
前記１／４波長位相差板の光学機能層が、請求項３から請求項５までのいずれか１項に記載の光学フィルム用転写体に設けられた前記転写層による光学機能層であること、
を特徴とする光学フィルム。
【請求項７】
画像表示パネルを備え、
請求項１、請求項２、又は、請求項６に記載のいずれか１項に記載の光学フィルムを前記画像表示パネルに配置したこと、
を特徴とする画像表示装置。
【発明の詳細な説明】
【技術分野】
【０００１】
本発明は、例えば画像表示パネルに配置して、偏光面の制御により外来光の反射を低減する光学フィルム、光学フィルム用転写体、画像表示装置に関するものである。
【背景技術】
【０００２】
従来、画像表示パネル等に関して、画像表示パネルの出射面に光学フィルムを配置し、この光学フィルムによる偏光面の制御により外来光の反射を低減する方法が提案されている。この光学フィルムは、直線偏光板、１／４波長位相差板により構成され、画像表示パネルのパネル面に向かう外来光を直線偏光板により直線偏光に変換し、続く１／４波長位相差板により円偏光に変換する。ここで、この円偏光による外来光は、画像表示パネルの表面等で反射するものの、この反射の際に偏光面の回転方向が逆転する。その結果、この反射光は、到来時とは逆に、１／４波長位相差板より、直線偏光板により遮光される方向の直線偏光に変換された後、続く直線偏光板により遮光され、その結果、外部への出射が著しく抑制される。
【０００３】
この光学フィルムに関して、特許文献１等には、１／２波長板、１／４波長板を組み合わせて１／４波長位相差板を構成することにより、この光学フィルムを逆の分散特性により構成する方法が提案されている。この方法の場合、カラー画像の表示に供する広い波長帯域において、逆の分散特性により光学フィルムを構成することができる。
【０００４】
ところで、このような光学フィルムは、有機ＥＬ等からなる画面表示パネルに配置された場合、表示画面の法線に対して斜め方向から観察したときに、青味や、緑味等の色味が視認される場合があり、表示画面のより一層の外観向上が望まれている。
【先行技術文献】
【特許文献】
【０００５】
【特許文献１】特開平１０−６８８１６号公報
【発明の概要】
【発明が解決しようとする課題】
【０００６】
本発明の課題は、表示画面の法線に対する斜め方向からの観察における表示画面の外観を向上することができる光学フィルム、光学フィルム用転写体、画像表示装置を提供することである。
【課題を解決するための手段】
【０００７】
本発明者は、上記課題を解決するために鋭意研究を重ね、１／２波長板用位相差層及び１／４波長板用位相差層のリタデーションや遅相軸の設定を特定の範囲にする、との着想に至り、本発明を完成するに至った。
【０００８】
（１）  透明フィルムによる基材と、直線偏光板としての機能を担う直線偏光板の光学機能層と、１／４波長位相差板としての機能を担う１／４波長位相差板の光学機能層とが積層され、前記１／４波長位相差板の光学機能層が、透過光に１／２波長分の位相差を付与する１／２波長板用位相差層と、透過光に１／４波長分の位相差を付与する１／４波長板用位相差層とを少なくとも有する多層構造であり、波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとしたときに、前記１／２波長板用位相差層及び前記１／４波長板用位相差層は、同一の液晶材料から形成され、２｜θ１｜＋３５°＜｜θ２｜＜２｜θ１｜＋４５°と、２（Ｒ２（５５０）−２０）＜Ｒ１（５５０）≦２Ｒ２（５５０）との関係を満たすこと、を特徴とする光学フィルム。
【０００９】
（２）  前記１／２波長板用位相差層は、１２°＜｜θ１｜＜１７°の関係を満たし、
前記１／４波長板用位相差層は、６５°＜｜θ２｜＜７５°の関係を満たすこと、を特徴とする（１）の光学フィルム。
【００１０】
（３）  直線偏光板としての機能を担う直線偏光板の光学機能層の上に転写される転写層を有した光学フィルム用転写体であって、透過光に１／２波長分の位相差を付与する１／２波長板用位相差層と、透過光に１／４波長分の位相差を付与する１／４波長板用位相差層とを少なくとも有する転写層と、前記転写層を保持する支持体とを備え、波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとしたときに、前記１／２波長板用位相差層及び前記１／４波長板用位相差層は、同一の液晶材料から形成され、２｜θ１｜＋３５°＜｜θ２｜＜２｜θ１｜＋４５°と、２（Ｒ２（５５０）−２０）＜Ｒ１（５５０）≦２Ｒ２（５５０）との関係を満たすこと、を特徴とする光学フィルム用転写体。
【００１１】
（４）  前記１／２波長板用位相差層は、１２°＜｜θ１｜＜１７°の関係を満たし、前記１／４波長板用位相差層は、６５°＜｜θ２｜＜７５°の関係を満たすこと、を特徴とする（３）の光学フィルム用転写体。
【００１２】
（５）  前記支持体は、セパレータフィルムであり、前記転写層は、前記支持体により被覆される粘着層を備えること、を特徴とする（３）又は（４）の光学フィルム用転写体。
【００１３】
（６）  透明フィルムによる基材と、直線偏光板としての機能を担う直線偏光板の光学機能層と、１／４波長位相差板としての機能を担う１／４波長位相差板の光学機能層とが積層され、前記１／４波長位相差板の光学機能層が、（３）から（５）までのいずれかの光学フィルム用転写体に設けられた前記転写層による光学機能層であること、を特徴とする光学フィルム。
【００１４】
（７）  画像表示パネルを備え、（１）、（２）、又は、（６）のいずれかの光学フィルムを前記画像表示パネルに配置したこと、を特徴とする画像表示装置。
【発明の効果】
【００１５】
本発明によれば、表示画面の法線に対する斜め方向からの観察における表示画面の外観を向上することができる
【図面の簡単な説明】
【００１６】
【図１】本発明の第１実施形態に係る画像表示装置１を示す図である。
【図２】図１の画像表示装置１に設けられる光学フィルム３の説明に供する図である。
【図３】本発明の光学フィルム３に含まれる１／４波長位相差板６の製造工程を示す略線図である。
【図４】本発明の第２実施形態に係る画像表示装置２０１を示す図である。
【図５】第２実施形態に係る転写フィルム２２０を示す図である。
【図６】本発明による実施例の画像表示装置１と、比較例の画像表示装置との表示画面の評価結果を示す図である。
【発明を実施するための形態】
【００１７】
以下、本発明の実施形態について図面を参照しながら説明する。
【００１８】
〔第１実施形態〕
図１は、本発明の第１実施形態に係る画像表示装置１を示す図である。この画像表示装置１では、画像表示パネル２のパネル面に、光学フィルム３が配置される。画像表示パネル２は、可撓性を有するシート形状による有機ＥＬパネルであり、所望のカラー画像を表示する。
【００１９】
光学フィルム３は、偏光面の制御により、画像表示パネル２に到来する外来光の反射を抑圧する光学フィルムである。このため光学フィルム３は、直線偏光板５、１／４波長位相差板６を積層して構成される。光学フィルム３は、図示しないセパレータフィルムを剥離して感圧接着剤による粘着層４を露出させた後、この粘着層４により、画像表示パネル２のパネル面に貼り付けられて保持される。また直線偏光板５及び１／４波長位相差板６は、粘着層７を介して一体化される。
【００２０】
１／４波長位相差板６は、透過光に１／４波長分の位相差を付与する１／４波長板として機能する部位８（１／４波長板用位相差層と呼ぶ）と、透過光に１／２波長分の位相差を付与する１／２波長板として機能する部位９（１／２波長板用位相差層と呼ぶ）との積層体により構成される。これにより１／４波長位相差板６は、カラー画像の表示に供する広い波長帯域で逆の分散特性を確保し、光学フィルム３は、広い波長帯域で十分に外来光の反射を抑圧する。
【００２１】
これらにより画像表示装置１では、画像表示パネル２の表示画面側より、順次、１／４波長板用位相差層８、１／２波長板用位相差層９、直線偏光板５が配置される。また図２に示すように、矢印により示す直線偏光板５の吸収軸Ｓに対して、１／２波長板用位相差層９及び１／４波長板用位相差層８の遅相軸（それぞれ矢印により示す）が、それぞれ反時計回りにθ１度、θ２度の角度を成すように配置される。
【００２２】
本実施形態の１／４波長板用位相差層８及び１／２波長板用位相差層９は、同一の液晶材料から形成されている。また、１／４波長板用位相差層８及び１／２波長板用位相差層９は、以下の関係式を満たすように形成される。
１）  ２｜θ１｜＋３５°＜｜θ２｜＜２｜θ1｜＋４５°
２）  ２（Ｒ２（５５０）−２０）＜Ｒ１（５５０）≦２Ｒ２（５５０）
【００２３】
θ１及びθ２は、上述したように、それぞれが直線偏光板５の透過光の吸収軸に対する１／２波長板用位相差層９及び１／４波長板用位相差層８の遅相軸の傾きである。ここで、１／２波長板用位相差層９及び１／４波長板用位相差層８の各遅相軸は、直線偏光板５の吸収軸Ｓに対して同じ方向に傾くものとする。すなわち、θ１が正の値である場合、θ２も正の値であり、θ１が負の値である場合、θ２も負の値となる。
また、Ｒ１（５５０）は、波長が５５０ｎｍの透過光に対する１／２波長板用位相差層９の面内のリタデーションであり、Ｒ２（５５０）は、波長が５５０ｎｍの透過光に対する１／４波長板用位相差層８の面内のリタデーションである。
【００２４】
上記１）、２）の関係式を満たすことにより、本実施形態の光学フィルム３は、画像表示パネル２に配置された場合に、表示画面の法線に対する斜め方向から観察される表示画面の色味を黒色に近づけることができ、表示画面の外観を向上させることができる。
また、１／４波長板用位相差層８及び１／２波長板用位相差層９は、以下の関係式を満たすことによって、上記効果を奏する光学フィルム３をより具体的に実現することができる。
３）  １２°＜｜θ１｜＜１７°
４）  ６５°＜｜θ２｜＜７５°
【００２５】
１／４波長位相差板６は、画像表示パネル２側から、粘着層４を介して、順次、基材１４、１／４波長板用賦型樹脂層１０、１／４波長板用配向膜１１、１／４波長板用位相差層８が設けられる。
基材１４は、ＴＡＣ（トリアセチルセルロース）等の透明フィルムである。
１／４波長板用賦型樹脂層１０は、微細な凹凸形状の賦型に供する賦型用樹脂層であり、この実施形態ではこの賦型用樹脂に紫外線硬化性樹脂が適用される。なお、この紫外線硬化性樹脂については、例えばアクリル系等、賦型処理に供する各種の樹脂を広く適用することができる。１／４波長板用賦型樹脂層１０は、賦型処理により表面に微細な凹凸形状が形成され、１／４波長位相差板６は、この１／４波長板用賦型樹脂層１０の表面形状により１／４波長板用配向膜１１が形成される。１／４波長板用賦型樹脂層１０に１／４波長板用配向膜１１が形成されることによって、１／４波長板用位相差層８に係る配向層が形成される。
１／４波長板用位相差層８は、屈折率異方性を保持した状態で固化（硬化）された液晶材料により形成され、１／４波長位相差板６は、この液晶材料の配向を１／４波長板用配向膜１１の配向規制力によりパターンニングする。１／４波長板用位相差層８を形成する液晶材料は、１／２波長板用位相差層９と同一の液晶材料を使用しており、例えば、下記式（１）〜（１３）に表される化合物等が用いられる。
【００２６】
また続いて１／４波長位相差板６は、１／４波長板用位相差層８の上に、１／２波長板用賦型樹脂層１２、１／２波長板用配向膜１３、１／２波長板用位相差層９が順次設けられる。
１／２波長板用賦型樹脂層１２は、微細な凹凸形状の賦型に供する賦型用樹脂層であり、この実施形態ではこの賦型用樹脂に紫外線硬化性樹脂が適用される。１／２波長板用賦型樹脂層１２は、賦型処理により表面に微細な凹凸形状が形成され、１／４波長位相差板６は、この１／２波長板用賦型樹脂層１２の表面形状により１／２波長板用配向膜１３が形成される。１／２波長板用賦型樹脂層１２に１／２波長板用配向膜１３が形成されることによって、１／２波長板用位相差層９に係る配向層が形成される。
１／２波長板用位相差層９は、屈折率異方性を保持した状態で固化（硬化）された液晶材料により形成され、１／４波長位相差板６は、この液晶材料の配向を１／２波長板用配向膜１３の配向規制力によりパターンニングする。また、１／２波長板用位相差層９を形成する液晶材料は、上述の１／４波長板用位相差層８と同一の液晶材料を使用しており、例えば、下記式（１）〜（１３）に表される化合物等が用いられる。
【００２７】
【化１−１】
2014102440.tif 000003
【化１−２】
2014102440.tif 000004
【００２８】
これら１／２波長板用配向膜１３及び１／４波長板用配向膜１１に係る微細な凹凸形状は、一方向に延長するライン状（線）の凹凸形状により形成され、この一方向に延長する方向が直線偏光板５の吸収軸Ｓに対して、それぞれ反時計回りにθ１度、θ２度の角度を成す方向となるように作成される。
【００２９】
直線偏光板５は、ＴＡＣ（トリアセチルセルロース）等の透明フィルムからなる基材１５の下面側が鹸化処理された後、光学機能層１６が配置される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００３０】
光学機能層１６は、直線偏光板としての光学的機能を担う部位であり、例えばポリビニルアルコール（ＰＶＡ）によるフィルム材に、ヨウ素化合物分子を吸着配向させて作製される。
【００３１】
〔製造工程〕
図３は、この１／４波長位相差板６の製造工程２０を示す略線図である。この製造工程２０は、基材１４がロールにより提供され、この基材１４を供給リール２１から供給する。製造工程２０は、ダイ２２によりこの基材１４に紫外線硬化性樹脂１０の塗布液を塗布する。この製造工程２０において、ロール版３０は、１／４波長位相差板６の１／４波長板用配向膜１１に係る凹凸形状が周側面に形成された円筒形状の賦型用金型である。製造工程２０は、紫外線硬化性樹脂が塗布された基材１４を加圧ローラ２４によりロール版３０の周側面に押圧し、高圧水銀燈からなる紫外線照射装置２５による紫外線の照射により紫外線硬化性樹脂を硬化させる。これにより製造工程２０は、ロール版３０の周側面に形成された凹凸形状を基材１４に転写する。その後、剥離ローラ２６により硬化した紫外線硬化性樹脂１０と一体に基材１４をロール版３０から剥離し、ダイ２９により液晶材料を塗布する。またその後、紫外線照射装置２７による紫外線の照射により液晶材料を硬化させ、これらにより１／４波長板用位相差層８に係る構成を作成する。
【００３２】
続いてこの工程２０は、搬送ローラ３１により基材１４をダイ３２に搬送し、ダイ３２によりこの基材１４の１／４波長板用位相差層８上に紫外線硬化性樹脂１２の塗布液を塗布する。この製造工程２０において、ロール版４０は、１／４波長位相差板６の１／２波長板用配向膜１３に係る凹凸形状が周側面に形成された円筒形状の賦型用金型である。製造工程２０は、紫外線硬化性樹脂が塗布された基材１４を加圧ローラ３４によりロール版４０の周側面に押圧し、高圧水銀燈からなる紫外線照射装置３５による紫外線の照射により紫外線硬化性樹脂を硬化させる。これにより製造工程２０は、ロール版４０の周側面に形成された凹凸形状を基材１４に転写する。その後、剥離ローラ３６により硬化した紫外線硬化性樹脂１２と一体に基材１４をロール版４０から剥離し、ダイ３９により液晶材料を塗布する。またその後、紫外線照射装置３７による紫外線の照射により液晶材料を硬化させ、これらにより１／２波長板用位相差層９に係る構成を作成する。
【００３３】
製造工程は、続いて粘着層４を、この粘着層４に係るセパレータフィルムと一体に配置した後、別工程で作成した直線偏光板５と一体化し、光学フィルム３を作成する。
【００３４】
以上より、本実施形態の光学フィルム３は、上記１）、２）の関係式を満たすようにして、同一の液晶材料により１／４波長板用位相差層８及び１／２波長板用位相差層９を形成しているので、画像表示パネル２に配置された場合に、表示画面の法線に対する斜め方向から観察される表示画面の色味を黒色に近づけることができ、表示画面の外観を向上させることができる。
また、光学フィルム３は、上記式３）、４）の関係式を満たすようにして１／４波長板用位相差層８及び１／２波長板用位相差層９を形成しているので、上記効果を奏する光学フィルム３をより具体的に実現することができる。
【００３５】
〔第２実施形態〕
図４は、図１との対比により本実施形態に係る画像表示装置２０１を示す図である。また、図５は、本実施形態に係る転写フィルム２２０を示す図である。なお、以下の説明及び図面において、前述した第１実施形態と同様の機能を果たす部分には、同一の符号又は末尾に同一の符号を付して、重複する説明を適宜省略する。
第２実施形態の画像表示装置２０１は、１／４波長位相差板２０６が転写フィルム２２０の転写層によって形成されている点で第１実施形態の画像表示装置１と相違する。
光学フィルム２０３は、図４に示すように、粘着層２０７を介してこれら１／４波長位相差板２０６、直線偏光板５が一体化され、この一体化の処理に、転写法が適用される。
【００３６】
ここで、転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００３７】
この実施形態では、直線偏光板５に、１／４波長位相差板２０６に係る層構成を転写法により積層する。従って被転写基材は、直線偏光板５であり、転写に供する層（転写層）は、１／４波長板用賦型樹脂層１０、１／４波長板用配向膜１１、１／４波長板用位相差層８、１／２波長板用賦型樹脂層１２、１／２波長板用配向膜１３、１／２波長板用位相差層９の積層体である。
【００３８】
図５は、この転写体である転写フィルム２２０の構成を示す図である。転写フィルム２２０は、支持体基材２２１上に、順次、１／４波長位相差板２０６に係る１／４波長板用賦型樹脂層１０、１／４波長板用配向膜１１、１／４波長板用位相差層８、１／２波長板用賦型樹脂層１２、１／２波長板用配向膜１３、１／２波長板用位相差層９が設けられる。
【００３９】
ここで支持体基材２２１は、転写に供する層（転写層）を剥離可能に担持し、転写層を被転写基材上に接着、積層した後は、適宜時機に剥離、除去に供される基材である。この実施形態では、透明フィルム材であるＰＥＴ（Polyethylene  terephthalate）フィルムが適用され、これにより転写フィルム２２０は、光学特性を検査可能に構成される。なおＰＥＴフィルムは、コロナ処理され、これにより後述する離型層との間の密着力を適切に設定する。なお支持体基材２２１は、全体の形状をシート形状としても良い。また支持体基材２２１は、ポリエチレンテレフタレート、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。なお支持体基材２２１の厚みは、２０〜１００μｍである。なお転写層との剥離性が不十分な場合は、支持体基材２２１には、転写層側に、剥離を促進する離型層を設ける。
【００４０】
離型層は、相対的に、支持体基材２２１との密着性は高く（剥離性は低く）、転写層との密着性は低い（剥離性は高い）材料を適用することができる。この実施形態では、転写層の最下層が紫外線硬化性樹脂による１／４波長板用賦型樹脂層１０であることにより、上述の支持体基材２２１に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。この実施形態では、上述したＰＥＴフィルムによる支持体基材２２１上に、メラミン樹脂による離型層を設け、離型層の上に設ける紫外線硬化性樹脂の塗布液に対する濡れ性を確保する。
【００４１】
なお、このようにコロナ処理したＰＥＴフィルムにメラミン樹脂による離型層を設ける代わりに、何ら表面処理してないＰＥＴフィルムを支持体基材に適用して離型層を省略してもよい。またこれに代えていわゆるノンソルと呼ばれる浸透層を設けていないＴＡＣフィルムを支持体基材に適用して、離型層を省略してもよい。このようにすると構成を簡略化することができる。
【００４２】
因みに、離型層による剥離性が不十分な場合、支持体基材２２１と離型層との間に、剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物が用いられる。剥離層の厚みは、通常、１〜１０μｍ程度である。また剥離層は、支持体基材２２１に設けても良く、剥離層に設けてもよい。
【００４３】
１／４波長板用賦型樹脂層１０は、この支持体基材２２１の上に、又は支持体基材２２１の上に形成された剥離層の上に、紫外線硬化性樹脂の塗付液を塗付して作成され、１／４波長板用配向膜１１は、賦型に供する微細凹凸形状を周側面に形成した賦型用金型（ロール版）を用いて１／４波長板用賦型樹脂層１０を賦型処理して作成される。１／４波長板用位相差層８は、１／４波長板用配向膜１１上に、液晶材料を塗付して硬化させることにより作成される。
【００４４】
１／２波長板用賦型樹脂層１２は、１／４波長板用位相差層８の上に、紫外線硬化性樹脂の塗付液を塗付して作成され、１／２波長板用配向膜１３は、１／４波長板用配向膜１１と同様に、賦型用金型を用いて１／２波長板用賦型樹脂層１２を賦型処理して作成される。１／２波長板用位相差層９は、１／２波長板用配向膜１３上に、液晶材料を塗付して硬化させることにより作成される。しかして転写体では、これら１／４波長位相差板に係る層構成である、１／４波長板用賦型樹脂層１０、１／４波長板用配向膜１１、１／４波長板用位相差層８、１／２波長板用賦型樹脂層１２、１／２波長板用配向膜１３、１／２波長板用位相差層９が、転写に供する転写層である。
【００４５】
さらに転写フィルム２２０は、１／４波長位相差板２０６に係る層構成に係る転写層の上に、粘着層２０７、セパレータフィルム２２３が設けられる。
【００４６】
ここで粘着層２０７は、転写層と被転写基材とを接着するための層である。転写層の材料と被転写基材の材料に応じて、両者に密着性の高い材料が適用される。この実施形態では、アセチルセルロース（酢酸纖維素）、ニトロセルロース（硝酸纖維素又は硝化綿）、セルロースアセテートプロピオネート等のセルロース（纖維素）系樹脂、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂、ウレタン樹脂、ポリエステル樹脂、塩化ビニル−酢酸ビニル共重合体、アイオノマー、天然又は合成ゴム等の材料が用いられる。接着剤層の厚みは、１〜３０μｍ程度である。
なお、粘着層２０７は、紫外線硬化性樹脂を使用してもよく、この場合は、光学フィルムの厚みを一段と薄くすることができる。
【００４７】
セパレータフィルム２２３は、粘着層２０７の表面を離型可能に被覆する離型シートである。セパレータフィルム２２３は、粘着層２０７が露出して不要な物品と不要な接着をすることを防止するために設けられ、転写の直前に剥離除去される。
【００４８】
以上より、本実施形態では、１／４波長位相差板２０６を転写層により形成している場合においても、上述の第１実施形態と同様の効果を奏することができる。また、本実施形態の光学フィルム２０３は、転写層により直線偏光板５に１／４波長位相差板２０６を貼付しているので、第１実施形態の光学フィルム３に比べ、基材１４を省略することができ、光学フィルム２０３の全体の厚みを薄くすることができる。
【００４９】
〔画像表示装置の表示画面の評価〕
次に、本発明による光学フィルム３を備えた画像表示装置１（実施例）と、本発明とは相違する光学フィルムを備えた画像表示装置（比較例）との表示画面の評価結果について説明する。
図６は、本発明による実施例の画像表示装置１と、比較例の画像表示装置との表示画面の評価結果を示す図である。
【００５０】
図６において、１／２波長板用位相差層９、１／４波長板用位相差層８を形成する液晶材料として、上述の化合物の式（１１）に記載の化合物を使用している。
図６における色度の評価は、画像表示装置の表示画面の法線に対して水平方向に８°傾斜した方向から光を入射し、表示画面に正反射した光の反射率及び色度を示している。色度の測定は、日本分光社製（Ｖ−７１００）を使用した。色度は、Ｌ＊ａ＊ｂ＊表色系による色の表示方法（日本工業規格：ＪＩＳＺ８７２９）に基づいて測定したものである。ここで、図６中のａ＊、ｂ＊は、対応する色味における色味の程度を示しており、ａ＊は、プラス方向が赤方向を、マイナス方向が緑方向を示し、ｂ＊は、プラス方向が黄方向を、マイナス方向が青方向を示す。また、図６における斜め方向の色味の評価は、表示画面の斜め方向から測定した測定者の視認による官能評価である。
各位相差層の面内リタデーション（Ｒ１（５５０）、Ｒ２（５５０））は、王子計測機器（株）社製、ＫＯＢＲＡ−ＷＲを用いて測定した。
なお、上記評価において、各画像表示装置に使用する画像表示パネルとして、携帯式電話機（サムスン製、ギャラクシーＧＳ  III）の有機ＥＬパネルを使用した。また、上述の色度及び色味の各評価は、画像表示パネルの表示画面に何も画像を表示させない状態で行った。
【００５１】
実施例１の画像表示装置１は、１／２波長板用位相差層９が、直線偏光板５の透過光の吸収軸に対する遅相軸の傾きがθ１＝１５°であり、波長が５５０ｎｍの透過光に対する面内のリタデーションがＲ１（５５０）＝２５０ｎｍである。また、１／４波長板用位相差層８は、直線偏光板５の透過光の吸収軸に対する遅相軸の傾きがθ２＝７３°であり、波長が５５０ｎｍの透過光に対する面内のリタデーションがＲ２（５５０）＝１４０ｎｍである。
【００５２】
実施例２の画像表示装置１は、１／２波長板用位相差層９が、直線偏光板５の透過光の吸収軸に対する遅相軸の傾きがθ１＝１５°であり、波長が５５０ｎｍの透過光に対する面内のリタデーションがＲ１（５５０）＝２５０ｎｍである。また、１／４波長板用位相差層８は、直線偏光板５の透過光の吸収軸に対する遅相軸の傾きがθ２＝７３°であり、波長が５５０ｎｍの透過光に対する面内のリタデーションがＲ２（５５０）＝１３０ｎｍである。
【００５３】
実施例３の画像表示装置１は、１／２波長板用位相差層９が、直線偏光板５の透過光の吸収軸に対する遅相軸の傾きがθ１＝１３°であり、波長が５５０ｎｍの透過光に対する面内のリタデーションがＲ１（５５０）＝２４０ｎｍである。また、１／４波長板用位相差層８は、直線偏光板５の透過光の吸収軸に対する遅相軸の傾きがθ２＝６９°であり、波長が５５０ｎｍの透過光に対する面内のリタデーションがＲ２（５５０）＝１２０ｎｍである。
【００５４】
実施例４の画像表示装置１は、１／２波長板用位相差層９が、直線偏光板５の透過光の吸収軸に対する遅相軸の傾きがθ１＝１５°であり、波長が５５０ｎｍの透過光に対する面内のリタデーションがＲ１（５５０）＝２４０ｎｍである。また、１／４波長板用位相差層８は、直線偏光板５の透過光の吸収軸に対する遅相軸の傾きがθ２＝７１°であり、波長が５５０ｎｍの透過光に対する面内のリタデーションがＲ２（５５０）＝１２１ｎｍである。
【００５５】
これに対し、比較例１の画像表示装置は、１／２波長板用位相差層が、直線偏光板の透過光の吸収軸に対する遅相軸の傾きがθ１＝１５°であり、５５０ｎｍの透過光に対する面内のリタデーションがＲ１（５５０）＝２４０ｎｍである。また、１／４波長板用位相差層は、直線偏光板の透過光の吸収軸に対する遅相軸の傾きがθ２＝７５°であり、波長が５５０ｎｍの透過光に対する面内のリタデーションがＲ２（５５０）＝１２０ｎｍである。
【００５６】
比較例２の画像表示装置は、１／２波長板用位相差層が、直線偏光板の透過光の吸収軸に対する遅相軸の傾きがθ１＝１５°であり、５５０ｎｍの透過光に対する面内のリタデーションがＲ１（５５０）＝２４０ｎｍである。また、１／４波長板用位相差層は、直線偏光板の透過光の吸収軸に対する遅相軸の傾きがθ２＝７３°であり、波長が５５０ｎｍの透過光に対する面内のリタデーションがＲ２（５５０）＝１１５ｎｍである。
【００５７】
比較例３の画像表示装置は、１／２波長板用位相差層が、直線偏光板の透過光の吸収軸に対する遅相軸の傾きがθ１＝１５°であり、５５０ｎｍの透過光に対する面内のリタデーションがＲ１（５５０）＝２４０ｎｍである。また、１／４波長板用位相差層は、直線偏光板の透過光の吸収軸に対する遅相軸の傾きがθ２＝７５°であり、波長が５５０ｎｍの透過光に対する面内のリタデーションがＲ２（５５０）＝１４０ｎｍである。
【００５８】
比較例４の画像表示装置は、１／２波長板用位相差層が、直線偏光板の透過光の吸収軸に対する遅相軸の傾きがθ１＝１７°であり、５５０ｎｍの透過光に対する面内のリタデーションがＲ１（５５０）＝２３０ｎｍである。また、１／４波長板用位相差層は、直線偏光板の透過光の吸収軸に対する遅相軸の傾きがθ２＝７３°であり、波長が５５０ｎｍの透過光に対する面内のリタデーションがＲ２（５５０）＝１４０ｎｍである。
【００５９】
比較例５の画像表示装置は、１／２波長板用位相差層を省略し、１／４波長板用位相差層が、直線偏光板の透過光の吸収軸に対する遅相軸の傾きがθ２＝４５°であり、波長が５５０ｎｍの透過光に対する面内のリタデーションがＲ２（５５０）＝１４２ｎｍである。
【００６０】
図６に示すように、比較例１、比較例３に係る画像表示装置は、表示画面の法線に対して斜め方向から観察した表示画面の色味が緑味がかったものであった。また、比較例２、比較例４に係る画像表示装置は、表示画面の色味が黄味がかったものであった。更に、比較例５に係る画像表示装置は、表示画面の色味が青味がかったものであった。
これに対して、各実施例（１〜４）に係る画像表示装置１は、表示画面の色味がほぼ黒色であった。従って、本発明の画像表示装置１は、比較例の画像表示装置に比べ、表示画面の黒味を強調することができ、表示画面の外観を向上させることができた。
【００６１】
ここで、比較例１は、１／４波長板用位相差層８及び１／２波長板用位相差層９の上述の関係式２）を満たすが、関係式１）を満たさず、比較例２は、関係式１）を満たすが、関係式２）を満たさない。また、比較例３は、関係式１）、２）のいずれも満たさず、比較例４は、関係式１）を満たすが、関係式２）を満たさない。
これに対して、各実施例に係る画像表示装置１は、それぞれ、関係式１）、２）のいずれも満たすものとなり、上記関係式１）、２）を全て満たすことによって、画像表示装置１の表示画面の法線に対する斜め方向から観察した表示画面の外観を向上させることができることが確認された。
また、各実施例の画像表示装置１は、上述の１／４波長板用位相差層８及び１／２波長板用位相差層９の関係式３）、４）も満たすものであり、より具体的に本発明による光学フィルム３を実現することができることも確認された。
【００６２】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００６３】
（１）第１実施形態では、１／４波長位相差板６は、基材１４の上面に、順次、１／４波長板用賦型樹脂層１０、１／４波長板用配向膜１１、１／４波長板用位相差層８、１／２波長板用賦型樹脂層１２、１／２波長板用配向膜１３、１／２波長板用位相差層９を形成した構成の例を示したが、これに限定されない。
例えば、基材１４の下面に、順次、１／２波長板用賦型樹脂層１２、１／２波長板用配向膜１３、１／２波長板用位相差層９、１／４波長板用賦型樹脂層１０、１／４波長板用配向膜１１、１／４波長板用位相差層８を形成した構成にしてもよい。なお、この場合、１／４波長位相差板は、基材１４の上面に粘着層７を、１／４波長板用位相差層８の下面に粘着層４を設ける必要がある。
また、基材１４の上面に、順次、１／２波長板用賦型樹脂層１２、１／２波長板用配向膜１３、１／２波長板用位相差層９を形成し、基材１４の下面に、順次、１／４波長板用賦型樹脂層１０、１／４波長板用配向膜１１、１／４波長板用位相差層８を形成するようにしてもよい。
【００６４】
（２）第２実施形態において、転写層は、支持体基材２２１を剥がして画像表示パネル２に貼付する例を示したが、これに限定されず、セパレータフィルム２２３を剥離して画像表示パネル２に貼付するようにしてもよい。
この場合、１／２波長板用賦型樹脂層、１／２波長板用配向膜、１／２波長板用位相差層、１／４波長板用賦型樹脂層、１／４波長板用配向膜、１／４波長板用位相差層の順で積層させた転写体を支持体基材上に形成する必要がある。
【００６５】
（３）各実施形態において、賦型処理により配向膜を作成する場合について述べたが、本発明はこれに限らず、光配向の手法により配向膜を作成する場合にも適用することができる。
【００６６】
（４）各実施形態では、転写層側に粘着層７を設けるようにして、この粘着層７により直線偏光板５と転写層とを一体化する場合について述べたが、本発明はこれに限らず、この粘着層７を直線偏光板５側に設けるようにしてもよい。
【００６７】
（５）各実施形態では、ロール版により賦型処理する場合について述べたが、本発明はこれに限らず、平板により賦型処理する場合にも広く適用することができる。
【符号の説明】
【００６８】
１  画像表示装置
２  画像表示パネル
３、２０３  光学フィルム
４、７  粘着層
５  直線偏光板
６、２０６  １／４波長位相差板
８  １／２波長板用位相差層
９  １／４波長板用位相差層
１０  １／４波長板用賦型樹脂層
１１  １／４波長板用配向膜
１２  １／２波長板用賦型樹脂層
１３  １／２波長板用配向膜
１４、１５  基材
１６  光学機能層
２２０  転写フィルム
２２１  支持体基材
２２３  セパレータフィルム
２０  製造工程
２１  供給リール
２２、２９、３２、３９  ダイ
２４、３４  加圧ローラ
２５、２７、３５、３７  紫外線照射装置
２６、３６  剥離ローラ
３０、４０  ロール版
３１  搬送ローラ
【図１】
2014102440.tif 000005
【図２】
2014102440.tif 000006
【図３】
2014102440.tif 000007
【図４】
2014102440.tif 000008
【図５】
2014102440.tif 000009
【図６】
2014102440.tif 000010